(57)【特許請求の範囲】
【請求項１】
浴室ドア枠の上端部に被取付部を設け、浴室天井パネルの外端部に被連結部を設け、ドア枠上壁パネルの下端部に浴室内部から前記被取付部に差込自在に取り付けられる取付部を設けると共に、前記ドア枠上壁パネルの上端部に前記浴室内部から前記被連結部に固着具で着脱自在に固着される連結部を設けたことを特徴とする浴室ドア枠上壁パネル固定構造。
【発明の詳細な説明】
【技術分野】
【０００１】
本発明は、浴室ドア枠と浴室天井パネルとの間にドア枠上壁パネルを固定する浴室ドア枠上壁パネル固定構造に関するものである。
【背景技術】
【０００２】
従来から、図３に示すような、浴室ドア枠１と浴室天井パネル３との間にドア枠上壁パネル４´を固定する浴室ドア枠上壁パネル固定構造が提案されている（特許文献１参照）。
【０００３】
浴室ドア枠１の上端部１０には、上方に突出する柱状の突起部６が設けてあって、ドア枠上壁パネル４´の下端部４０´には、この突起部６を嵌入させる孔７が上下方向に貫通して設けてある。この突起部６に孔７が嵌入するように浴室ドア枠１に上方からドア枠上壁パネル４´を載置することで、ドア枠上壁パネル４´は浴室ドア枠１に固定される。
【０００４】
そして、このドア枠上壁パネル４´の上端部４２´の上端面４８´に浴室天井パネル３を載せた状態で、この上端部４２´と浴室天井パネル３の外端部３０から垂下する垂下片３２とをねじ等の固着具５で固定する。このようにして、ドア枠上壁パネル４´は、浴室ドア枠１と浴室天井パネル３との間に固定される。
【先行技術文献】
【特許文献】
【０００５】
【特許文献１】特開２００６−２６６００１号公報
【発明の概要】
【発明が解決しようとする課題】
【０００６】
しかし、交換やメンテナンスを行うためにドア枠上壁パネル４´を取り外す必要が生じた場合、固着具５を外して浴室天井パネル３を上方に持ち上げなければ、ドア枠上壁パネル４´は浴室ドア枠１から取り外すことが困難であるという問題があった。
【０００７】
そこで、本発明は、浴室天井パネルを上方に持ち上げなくとも、浴室内部でドア枠上壁パネルを浴室ドア枠から取り外すことができる浴室ドア枠上壁パネル固定構造を提供することを課題とする。
【課題を解決するための手段】
【０００８】
上記課題を解決するための本発明の浴室ドア枠上壁パネル固定構造は、浴室ドア枠の上端部に被取付部を設け、浴室天井パネルの外端部に被連結部を設け、ドア枠上壁パネルの下端部に浴室内部から前記被取付部に差込自在に取り付けられる取付部を設けると共に、前記ドア枠上壁パネルの上端部に前記浴室内部から前記被連結部に固着具で着脱自在に固着される連結部を設けたことを特徴とする。
【発明の効果】
【０００９】
本発明の浴室ドア枠上壁パネル固定構造は、浴室天井パネルを上方に持ち上げなくとも、浴室内部でドア枠上壁パネルを浴室ドア枠から取り外すことができる。
【図面の簡単な説明】
【００１０】
【図１】本発明の実施形態の浴室ドア枠上壁パネル固定構造の分解斜視図を示す。
【図２】同上の浴室ドア枠上壁パネル固定構造の固定状態の斜視図を示す。
【図３】従来の浴室ドア枠上壁パネル固定構造の分解斜視図を示す。
【発明を実施するための形態】
【００１１】
以下、本発明の実施形態の一例を添付図面に基づいて説明する。
【００１２】
本実施形態の浴室ドア枠上壁パネル固定構造は、図２に示すような浴室ユニットに適用されるものである。この浴室ユニットは、浴室の出入口部分に設けられる浴室扉８を設置する浴室ドア枠１と、その上方に位置する浴室天井パネル３と、この浴室ドア枠１と浴室天井パネル３との間の壁面をなすドア枠上壁パネル４と、から構成される。以下においては、図２に示す固定状態を基準として、浴室ドア枠１から視て浴室外側（図２に示す方向ａ）を前方向、浴室内側（図２に示す方向ｂ）を後方向、その前後方向に直交する水平方向（図２に示す方向ｃ，ｄ）を左右方向として説明を行う。
【００１３】
浴室ドア枠１は、上下に長い略矩形の環状の枠であって、その内側に折畳み扉等の浴室扉８が設置される。浴室扉８は、浴室の出入口部分を開いた状態において、この浴室ドア枠１の幅方向である左右方向の一端部に寄せられて、浴室ドア枠１の左右方向の他端部との間に出入空間を形成する。また、浴室ドア枠１の前後方向の厚みは、浴室扉８の前後方向の厚みよりも分厚く形成されている。この浴室ドア枠１の後端部分の内側に浴室扉８は設置される。設置されて出入口部分を閉じた状態の浴室扉８の後面は、浴室ドア枠１の後面と略面一となる。この浴室ドア枠１の前端部分の上部には、浴室ユニット形成後、間仕切壁９が取り付けられて、浴室ドア枠１の上方部分は、露出しないものとなる。
【００１４】
図１に示すように、浴室ドア枠１の上端部１０は、前方に向けて開口する断面略コ字状に形成されている。この上端部１０の上端の上端面１１には、上方に突出する位置決め突起１２が、前後方向に距離をおいて二列設けてある。この二列の位置決め突起１２，１２は、上端面１１の左右方向全域に亘って設けられている。
【００１５】
この二列の位置決め突起１２，１２の間にできる凹所１３に、後述する被取付部２となるバネ金具２０が嵌め込まれる。
【００１６】
この被取付部２となるバネ金具２０は、弾性を有し、凹所１３に嵌め込まれる平板状の取付板２１と、その取付板２１から延びる抑え部２２とから構成される。平板状の取付板２１は、前後方向の幅の異なる矩形状の幅広部分２３と矩形状の幅狭部分２５とが左右方向に並んだ略Ｌ字状のものからなる。
【００１７】
取付板２１の幅広部分２３には、ねじ等の固着具２４が差し込まれる挿入孔（図示せず）が上下に貫通するように設けてある。ここでこの幅広部分２３の前後方向の幅は、前述の二列の位置決め突起１２，１２間の前後方向の距離と同じ長さとなっている。
【００１８】
また、取付板２１の幅狭部分２５の後端部からは斜め上方後方に立ち上がった後、斜め下方後方に折れ曲がった断面略へ字状の抑え部２２が延びている。この抑え部２２は、取付板２１の幅狭部分２５の後端部の左右方向全域から延びるように形成されている。ここで、この斜め下方後方に折れ曲がった部分を引っ掛け部２２０とする。抑え部２２の引っ掛け部２２０の後端は、凹所１３にバネ金具２０が嵌め込まれた状態において、後列側の位置決め突起１２よりも後方側の上端面１１の上方に位置することとなる。なお、固着具２４が差し込まれる挿入孔を設ける部分と、抑え部２２を設ける部分と、を左右方向にずらしたことで、バネ金具２０は前後方向に短く形成可能となっている。
【００１９】
ドア枠上壁パネル４は、上端部４２が浴室天井パネル３に固着される連結部４３となる。この上端部４２は、前方に略水平に延びた後、上方に立ち上がった形状となっている。ここで、この前方に略水平に延びた部分を上端水平部４４とし、この上方に立ち上がった部分を立ち上がり部４５とする。
【００２０】
また、ドア枠上壁パネル４の下端部４０は、浴室ドア枠１に取り付けられる取付部４１となる。この下端部４０は、前方に略水平に延びた後、上方に立ち上がって、そして斜め上方後方に折れ曲がってさらに斜め下方後方に折れ曲がった断面略三角形状をなしている。ここで、この前方に略水平に延びた部分を下端水平部４６とし、上方に立ち上がって、そして斜め上方後方に折れ曲がった部分をガイド部４１０とし、斜め下方後方に折れ曲がった部分を引っ掛かり部４１１とする。ガイド部４１０の上端から下端水平部４６の下端面までの上下方向の長さは、取付板２１が凹所１３に嵌め込まれた状態の引っ掛け部２２０の下端からその下方の上端面１１までの上下方向の距離よりも長いものとなっている。また、この下端部４０の断面略三角形状の取付部４１は、後列側の位置決め突起１２と、この位置決め突起１２よりも後方の抑え部２２と、その下方の上端面１１とで囲まれる空間と略同じ大きさとなっている。上述のようにして構成される取付部４１は、被取付部２となるバネ金具２０に、浴室内部から前後方向に差込自在に取り付けられる。
【００２１】
そして、このドア枠上壁パネル４の上端部４２と下端部４０の間には、平板部４７が形成されている。この平板部４７は、ドア枠上壁パネル４が浴室ドア枠１に取り付けられた状態で、浴室ドア枠１の後面や閉じた状態の浴室扉８の後面と略面一となる。
【００２２】
このドア枠上壁パネル４の上端部４２が固着される浴室天井パネル３は、主体が略矩形の平板状に形成されている。そして、この浴室天井パネル３の前端部（外端部３０）の左右方向全域からは、ドア枠上壁パネル４に固着される被連結部３１となる垂下片３２が鉛直方向に垂下して設けられている。ドア枠上壁パネル４の上端部４２の連結部４３は、この被連結部３１に、ねじ等の固着具５によって浴室内部から前後方向に着脱自在に固着される。
【００２３】
上述した構成の浴室ユニットの組立方法について説明する。
【００２４】
まず、浴室ドア枠１の上端部１０の上端面１１の凹所１３に、被取付部２をなすバネ金具２０の取付板２１を嵌め込み、さらに、取付板２１の挿入孔にねじ等の固着具２４を挿入して、浴室ドア枠１にバネ金具２０を前後方向及び左右方向に動き難い状態で固定する。なお、この施工は、浴室ドア枠１を立ててからでは高い位置での施工となるので、立てる前に行っておくことが好ましい。また、工場からの出荷時に既に取り付けた状態であっても構わない。
【００２５】
次に、ドア枠上壁パネル４の下端部４０の取付部４１の下端水平部４６が浴室ドア枠１の上端面１１に沿うように、ドア枠上壁パネル４を浴室内部から前方向に差し込む。すると、引っ掛け部２２０がガイド部４１０にガイドされて上方に弾性変形する。引っ掛け部２２０は、ガイドされてガイド部４１０の上端を後方向に過ぎると、引っ掛かり部４１１に引っ掛かって、ドア枠上壁パネル４が後方向に抜けにくい状態となる。この時、ガイド部４１０の前端部（上方に立ち上がった部分）は後列の位置決め突起１２に接触して、ドア枠上壁パネル４がそれ以上前方向に動き難い状態となる。このようにして、ドア枠上壁パネル４は浴室ドア枠１上の前後位置が決まった状態で取り付けられる。また、断面略三角形状の取付部４１は、上方から抑え部２２でその下方の上端面１１に押し付けられた状態となる。このようにして、ドア枠上壁パネル４は、上方に移動することが抑制されるとともに、その上端部４２が前後方向に回動することも抑制された取付状態となる。
【００２６】
そして、ドア枠上壁パネル４の上端部４２の連結部４３をなす立ち上がり部４５の後方に、浴室天井パネル３の被連結部３１をなす垂下片３２が重なるように、浴室天井パネル３を、ドア枠上壁パネル４上に載せる。この時、ドア枠上壁パネル４の立ち上がり部４５の上端面４８は、浴室天井パネル３に上下方向に接触して、浴室天井パネル３を支えた状態となっている。そして、この重なった部分に固着具５を浴室内部から挿入して、立ち上がり部４５と垂下片３２とを固着させて、ドア枠上壁パネル４と浴室天井パネル３とを固着する。
【００２７】
最後に、浴室天井パネル３とドア枠上壁パネル４の上端部４２の上端水平部４４との間にできる浴室内部側に開口する凹所３３に（図２参照）、左右方向全域に亘って目地材３４を浴室内部から圧入する。この目地材３４によって、浴室天井パネル３とドア枠上壁パネル４の上端部４２の間から、浴室内部の水が漏れ出すことが防止される。
【００２８】
上述のように組み立てた状態において、浴室ドア枠１の上端面１１の後方側の位置決め突起１２とガイド部４１０の前端部（上方に立ち上がった部分）は左右方向全域に亘って隙間なく接触している。そして、その位置決め突起１２よりも後方の上端面１１とドア枠上壁パネル４の下端部４０の下端水平部４６は左右方向全域に亘って隙間なく接触している。このようにして、浴室ドア枠１とドア枠上壁パネル４の間から、浴室内部の水が漏れ出すことが防止される。
【００２９】
続いて、上述した構成の浴室ユニットの分解方法について説明する。
【００３０】
まず、浴室天井パネル３とドア枠上壁パネル４の間の目地材３４を浴室内部から取り外す。次に、浴室天井パネル３の垂下片３２とドア枠上壁パネル４の立ち上がり部４５を固定する固着具５を浴室内部から取り外す。そして、ドア枠上壁パネル４を浴室内部から略水平方向に引っ張って、浴室ドア枠１のバネ金具２０からドア枠上壁パネル４の取付部４１を外して、浴室ドア枠１からドア枠上壁パネル４を取り外す。
【００３１】
以上の分解施工は、浴室天井パネル３を上方に持ち上げなくとも行うことができる。そのため、本実施形態の浴室ドア枠上壁パネル固定構造は分解性の良いものとなっている。なお、浴室ドア枠１の前端部分の上方には、浴室ドア枠１の上方部分の露出を抑える間仕切壁９が取り付けられているが、これらの分解施工は、全て浴室内部で行うことができるので、この間仕切壁９は邪魔にならない。
【００３２】
上述した本実施形態の浴室ドア枠上壁パネル固定構造は、浴室ドア枠１の上端部１０に被取付部２を設け、浴室天井パネル３の外端部３０に被連結部３１を設けたものである。そして、ドア枠上壁パネル４の下端部４０に浴室内部から被取付部２に差込自在に取り付けられる取付部４１を設け、ドア枠上壁パネル４の上端部４２に浴室内部から被連結部３１に固着具５で着脱自在に固着される連結部４３を設けたものである。
【００３３】
このような構成とすることで、ドア枠上壁パネル４を浴室天井パネル３と浴室ドア枠１とに浴室内部から固定することができる。また、ドア枠上壁パネル４を取り外す際には、浴室内部から、固着具５を取りはずして浴室天井パネル３からドア枠上壁パネル４を取り外す。そして、ドア枠上壁パネル４を浴室内部から略水平方向に引っ張れば、浴室ドア枠１から取り外すことができる。つまり、浴室天井パネル３を上方に持ち上げなくとも、浴室内部でドア枠上壁パネル４を浴室ドア枠１から取り外すことができる。
【００３４】
以上のように、本実施形態の浴室ドア枠上壁パネル固定構造は、組立性及び分解性の良いものとなっている。
【００３５】
（変更例）
上記実施形態においては、浴室ドア枠１の上端部１０の上端面１１に位置決め突起１２を設けたが、この位置決め突起１２を設けず、固着具２４単独で被取付部２をなすバネ金具２０を固定するような構成であっても構わない。この場合、浴室ドア枠１上のドア枠上壁パネル４の前後方向及び左右方向は、バネ金具２０だけで位置決めできる構造にすればよい。
【００３６】
また、浴室ドア枠１の被取付部２とドア枠上壁パネル４の取付部４１は、ドア枠上壁パネル４の上方への移動を抑制すると共にドア枠上壁パネル４の回動を抑制し、水平方向への移動も抑制できるような構造であれば、上述の本実施形態の構造に限定されない。
【００３７】
また、被取付部２をなす別体のバネ金具２０を浴室ドア枠１の上端部１０の上端面１１に固着具２４で取り付けたが、被取付部２は浴室ドア枠１の上端面１１と一体成形されるものであっても構わない。
【００３８】
また、浴室天井パネル３とドア枠上壁パネル４とは着脱自在に固着できれば、本実施形態の構造に限定されない。
【００３９】
以上、本発明を添付図面に示す実施形態に基づいて説明したが、本発明は上記の各実施形態に限定されるものではなく、本発明の意図する範囲内であれば、適宜の設計変更が可能である。
【符号の説明】
【００４０】
１      浴室ドア枠
１０    上端部
２      被取付部
３      浴室天井パネル
３０    外端部
３１    被連結部
４      ドア枠上壁パネル
４０    下端部
４１    取付部
４２    上端部
４３    連結部
５      固着具
【図１】
0005462729.tif 000002
【図２】
0005462729.tif 000003
【図３】
0005462729.tif 000004